(57)【特許請求の範囲】
【請求項１】
基板上に設けられた枠状のシールドフレームと、該シールドフレームで囲まれた領域を覆うシールドカバーとを備え、前記基板に搭載された電子部品を収容するシールドケースであって、
前記シールドカバーは、前記シールドフレームの上面に沿って前記シールドフレームの一端側から他端側までスライド可能に構成された平板であり、
前記シールドフレームは、該シールドフレームの前記上面よりも上方に突出する突起部であって、前記シールドフレームの前記上面との間で前記シールドカバーを挟みつつ前記シールドカバーをスライド可能に保持する複数の突起部を有しており、
前記複数の突起部は、前記シールドカバーのスライド方向に沿った両縁辺を保持し、
前記シールドフレームの前記上面と前記シールドカバーのうちの一方に複数の突起点が形成されており、前記シールドフレームの前記上面と前記シールドカバーのうちの他方に前記複数の突起点に対応する複数の穴部が形成されており、
前記複数の突起点及び前記複数の穴部のうちの少なくとも１対の突起点及び穴部は、前記シールドカバーを前記シールドケースから取り外す方向に向かって奥側の端部に配置されている、シールドケース。
【請求項２】
前記シールドフレームの、枠の外側に向けられた側面は平坦な面である、請求項１に記載のシールドケース。
【請求項３】
前記シールドフレームの前記上面に前記突起点が形成されており、
前記シールドカバーの外周部に、前記穴部が形成されている、請求項１または２に記載のシールドケース。
【請求項４】
前記シールドフレームの前記上面に前記穴部が形成されており、
前記シールドカバーの外周部に、前記突起点が形成されている、請求項１または２に記載のシールドケース。
【請求項５】
請求項１から４のいずれか１項に記載のシールドケースと、前記シールドケースの内部に収容された電子部品と、を備えた電子機器。
【発明の詳細な説明】
【技術分野】
【０００１】
本発明は、シールドフレームと当該シールドフレームに着脱可能なシールドカバーとを備え、電磁波を遮蔽するシールドケース、および当該シールドケースを備えた電子機器に関する。
【背景技術】
【０００２】
携帯電話機等の電子機器においては、電子部品で発生する電磁波が他の電子部品に影響を及ぼすことを防止するため、電子部品を収容して電磁波を遮蔽するシールドケースが用いられている。
【０００３】
また、シールドケースに電子部品が収容された電子機器では、電子機器の組み立て後に検査を行うことがあるため、開閉可能なシールドケースもある。特に、無線通信端末用のシールドケースは、製品の検査のために、シールドケースを開閉する頻度が高い。そのため、シールドフレームと、シールドフレームに着脱可能なシールドカバーとを備えたシールドケースが提案されている。
【０００４】
図６は、特開２００８−２１８５２６号（以下、特許文献１と呼ぶ。）の図１４に示されているシールドケースを示している。このシールドケース６０は、シールドフレーム７０と蓋状のシールドカバー６０とを備えている。シールドフレーム７０は、配線基板８０に搭載された電子部品９０を取り囲む枠状に成っている。
【０００５】
図６に示すように、シールドカバー６０の周縁部６４は曲げられている。シールドカバー６０がシールドケース７０に取り付けられたときに、シールドカバー６０の周縁部６４は、枠状のシールドケース７０の外側に向いた側面７４を覆う。シールドカバー６０がシールドケース７０に固定されるように、シールドカバー６０の周縁部６４の側面には穴部６２が設けられており、シールドフレームの側面７４には穴部６２に対応する微小な突起点７２が設けられている。
【０００６】
また、特許文献１の図２には、配線基板に実装された電子部品の周囲を巡る枠状のシールドフレームと、該シールドフレームの上部開口を覆うシールドカバーと、を備えたシールドケースが開示されている。シールドカバーはシールドケースの上方に装着される。シールドフレームの上面には切り欠き部が形成されており、シールドカバーには当該切り欠き部に係合する弾性片が形成されている。さらに、シールドカバーの周縁部は、シールドケースの側面を覆うように折り曲げられている。
【先行技術文献】
【特許文献】
【０００７】
【特許文献１】特開２００８−２１８５２６号
【発明の概要】
【発明が解決しようとする課題】
【０００８】
電子機器の小型化に伴い、電子部品を高密度に実装することが要求される。そのため、小型の電子機器においては、シールドケースの小型化、つまり幅や高さの低下が求められる。
【０００９】
図６に示すシールドケースでは、シールドカバー６０の周縁部６４およびシールドフレーム７０の側面７４に構造物（穴部６２や突起点７２）が形成されているため、当該構造物を形成するための領域を確保する必要がある。そのため、シールドカバー６０およびシールドフレーム７０の高さが高くなるという課題がある。
【００１０】
また、シールドカバーの周縁部６４は曲げられており、この周縁部６４がシールドケースの側面７４を覆う。そのため、シールドカバーの周縁部６４の厚みだけ、シールドケースの幅が大きくなってしまうという課題もある。なお、特許文献１では、シールドケースの小型化の問題は一切言及されていない。
【００１１】
特許文献１の図２に示されたシールドケースにおいても、シールドカバーの周縁部が曲げられているため、シールドカバーの周縁部の厚みだけシールドケースが大きくなるという課題がある。また、シールドカバーに複雑な形状の弾性片を形成する必要があるため、その製造工程が複雑になる。
【００１２】
本発明の目的は、上記課題のいずれか１つを解決することができるシールドケースおよび当該シールドケースを備えた電子機器を提供することにある。その目的の一例は、シールドケースの幅および高さの低下を図ることができるシールドケースを提供することである。
【課題を解決するための手段】
【００１３】
本発明の一態様におけるシールドケースは、基板上に設けられた枠状のシールドフレームと、シールドフレームで囲まれた領域を覆うシールドカバーとを備え、基板に搭載された電子部品を収容する。シールドカバーは、シールドフレームの上面に沿ってスライド可能に構成された平板である。シールドフレームは、シールドフレームの上面から上方に突出し、シールドフレームの上面との間でシールドカバーをスライド可能に保持する複数の突起部を有している。
【００１４】
また、本発明の電子機器は、上記のシールドケースと、当該シールドケースの内部に収容された電子部品とを備えている。
【発明の効果】
【００１５】
本発明によれば、シールドケースの幅および高さの低下を図ることができる。
【図面の簡単な説明】
【００１６】
【図１】本発明の一実施形態に係るシールドケースの概略斜視図である。
【図２】図１に示すシールドケースの概略上面図である。
【図３】シールドフレームにシールドカバーを取り付ける際の様子を示す概略斜視図である。
【図４】シールドフレームにシールドカバーを取り付ける際の様子を示す概略上面図である。
【図５】シールドフレームにシールドカバーを取り付ける際の様子を示す概略側面図である。
【図６】従来技術におけるシールドケースの概略斜視図である。
【図７】従来技術のシールドケースにおいて、シールドフレームにシールドカバーを取り付ける際の様子を示す概略側面図である。
【図８】従来技術のシールドケースの概略側面図である。
【発明を実施するための形態】
【００１７】
以下、本発明の実施形態について図面を参照して説明する。
【００１８】
図１は本発明の一実施形態におけるシールドケース１０の斜視図であり、図２はシールドケース１０の上面図である。シールドケース１０は、シールドカバー２０とシールドフレーム３０とを備えている。図３，図４および図５は、シールドフレーム３０にシールドカバー２０を取り付ける際の様子を示す斜視図，上面図および側面図である。
【００１９】
シールドフレーム３０は、例えば配線基板のような基板４０上に設けられ、枠状に構成されている。シールドカバー２０は、シールドフレーム３０の上面３６に沿ってスライド可能に構成されている。シールドカバー２０は、シールドフレーム３０に蓋をし、シールドフレーム３０に対して着脱可能に構成されている。シールドカバー２０およびシールドフレーム３０は、金属部材から構成され、電磁波を遮断する。シールドケース１０の内部には、基板４０に搭載された電子部品５０が収容される。本実施形態のシールドカバー２０は平板であり、シールドカバー２０の周縁は曲げられていない。
【００２０】
図７および図８は、図６に示す従来のシールドケースの側面図である。シールドカバー６０の周縁部６４はシールドフレーム７０の側面を覆うため、シールドカバー６０はシールドフレーム７０よりも幅が大きい（図中の符号Ｄを参照）。したがって、シールドカバーの周縁部６４の厚みだけ、シールドケースの幅が増大する。
【００２１】
これに対し、本実施形態のシールドカバー２０は平板であるため、シールドフレーム３０の幅がシールドケース１０の幅になる。したがって、シールドケース１０の幅を小さくすることができる。これにより、シールドケースに近接して他の電位部品５２を基板４０に搭載することが可能になり、基板４０への電子部品の高密度実装が実現できる。なお、シールドフレーム３０の幅は、内部に収容される電子部品５０のサイズに応じて任意に設計できる。
【００２２】
さらに、シールドカバー２０が平板であり、曲げられていないため、シールドカバー２０の製造は容易であり製造コストも抑えられる。
【００２３】
本実施形態では、シールドフレーム３０は、シールドフレームの上面３６から上方に突出した複数のＬ字型の突起部３４を有している。シールドフレーム３０の、対向する２つの端辺から突出したＬ字型の突起部３４は、シールドカバー２０のスライド方向Ｓに沿った縁辺に当接し、シールドカバー２０をスライド可能に案内および保持する。また、シールドカバー２０は、シールドフレーム３０に取り付けられているとき、シールドフレーム３０の上面３６とＬ字型の突起部３４によって保持される。
【００２４】
上記構成によれば、シールドフレーム３０の、枠の外側に向けられた側面３８には、シールドカバー２０を保持するための構造物（突起点や開口など）が不要となる。したがって、シールドフレーム３０の側面は平坦な面であって良い。この場合、シールドフレーム３０の上面３６までの高さは、内部に収容される電子部品５０に合わせて任意に設計することができ、シールドケース１０の高さを最小限に抑えることができる。
【００２５】
図７および図８に示すように、従来技術のシールドケースでは、シールドカバー６０の周縁部６４およびシールドケース７０の側面７４に構造物（突起点６２や穴部７２）が存在する。本願発明者の実験によれば、シールドカバー６０をシールドケース７０に適切に固定するため、基板面に直交する方向における突起点６２の幅は、少なくとも約０．７ｍｍ程度とし、穴部６２の幅は少なくとも０．６ｍｍ程度とする必要がある。そのため、シールドカバー６０の周縁部６４の高さは少なくとも１．５ｍｍ程度になってしまう（図７参照。）。シールドカバー６０がシールドケース７０に取り付けられたときに、シールドカバーの周縁部６４が配線基板８０に当接しないように、シールドフレーム７０は、少なくとも約０．３ｍｍだけ余分に高く設計される必要がある（図８参照）。その結果、シールドケースは、１．８ｍｍ以上の高さになってしまう。
【００２６】
本実施形態のシールドケース１０の高さは、シールドフレーム３０の上面３６までの高さと、シールドケース３０の上面から突出したＬ字型の突起部３４の高さとの和で決まる。ここで、シールドフレーム３０の上面３６までの高さは、内部の電子部品５０の高さに応じて任意に設計可能である。したがって、シールドケース１０の高さは、１．８ｍｍ未満にすることも可能である。実際に製造したシールドケース１０の高さは１．５ｍｍであった（図５参照。）。
【００２７】
Ｌ字型の突起部３４は、図２および図３に示す例では、スライド方向Ｓの下流側の、スライド方向Ｓと交差する端面にも設けられていることが好ましい。このＬ字型の突起部３４は、シールドカバー２０と接触して、シールドカバー２０のスライドを停止させる。
【００２８】
シールドフレーム３０の上面には微小な突起点３２が形成されており、シールドカバー２０にはこの突起点３２に対応する穴部２２が形成されていることが好ましい。穴部２２は、シールドカバー２０を貫通していても良く、未貫通であっても良い。これにより、シールドカバー２０は、シールドフレーム３０に対して位置決めされ、シールドフレーム３０により正確に保持される。
【００２９】
さらに、シールドカバー２０をスライドさせてシールドフレーム３０から取り外し易くするために、シールドカバー２０は、タブ２４を有することが好ましい。
【００３０】
図２および図３に示す例に代えて、シールドフレーム３０の上面に穴部が形成されており、シールドケースに当該穴部に対応する突起点が形成されていても良い。
【００３１】
本発明の電子機器は、上記のシールドケース１０と、当該シールドケース１０の内部に収容された電子部品とを備える。このような電子機器の一例として、ＰＣＭＣＩＡカードなどの薄型の無線通信端末が挙げられる。ＰＣＭＣＩＡカードは２ｍｍ〜３ｍｍ程度の厚みであり、その内部に設置されるシールドケースの高さを低減する必要がある。上述したように、上記のシールドケース１０は、高さを低くすることができるため、ＰＣＭＣＩＡカードなどの薄型の無線通信端末に好適に用いられる。
【００３２】
以上、本発明の望ましい実施形態について提示し、詳細に説明したが、本発明は上記実施形態に限定されるものではなく、要旨を逸脱しない限り、さまざまな変更及び修正が可能であることを理解されたい。
【符号の説明】
【００３３】
１０  シールドケース
２０  シールドカバー
２２  穴部
２４  タブ
３０  シールドフレーム
３２  突起点
３４  Ｌ字型の突起部
３６  シールドフレームの上面
３８  シールドフレームの側面
４０  基板
【図１】
0005224407.tif 000002
【図２】
0005224407.tif 000003
【図３】
0005224407.tif 000004
【図４】
0005224407.tif 000005
【図５】
0005224407.tif 000006
【図６】
0005224407.tif 000007
【図７】
0005224407.tif 000008
【図８】
0005224407.tif 000009